(57)【要約】【課題】蓋部を開けるときは勿論、閉めるときも良好な操作性を得ることのできるグローブボックスの蓋部開閉アシスト機構を提供する。【解決手段】グローブボックスの側面に設けられ、グローブボックスの蓋部の開閉操作をアシストする開閉アシスト機構であって、ゼンマイ１０Ａが巻き取られた巻取りローラ１０と、巻取りローラ下方に回動自在に配置され、巻取りローラ１０からゼンマイ１０Ａを引き出し外周面に巻き付ける巻付けローラ１１と、前記両ローラ１０，１１の中間部横方に配置され上下に移動自在な移動滑車１８と、移動滑車１８の上方に固定された上方固定滑車１５と、移動滑車１８の下方に固定された下方固定滑車１６と、一端側が移動滑車１８下方の固定部に固定され、他端側が移動滑車１８及び下方固定滑車１６を介して蓋部に固定された引き側ワイヤ３４と、一端側が巻付けローラ１１の外周面に固定され、他端側が上方固定滑車１５を介して移動滑車１８に固定された引かれ側ワイヤ３３とを備えた。【選択図】図３
2008184005.tif 000002
【特許請求の範囲】
【請求項１】
グローブボックス容器本体の側面に設けられ、該グローブボックス容器本体の開口端下方のヒンジを介して設けられた蓋部の開閉操作をアシストするグローブボックスの蓋部開閉アシスト機構であって、
ゼンマイが巻き取られたゼンマイ巻取り部と、
前記ゼンマイ巻取り部の下方に回動自在に配置され、該ゼンマイ巻取り部からゼンマイを引き出して外周面に巻き付けるゼンマイ巻付け部と、
前記ゼンマイ巻取り部及び前記ゼンマイ巻付け部の中間部横方に配置され、上下方向に移動自在な移動滑車と、
前記移動滑車の上方に固定された上方固定滑車と、
前記移動滑車の下方に固定された下方固定滑車と、
一端側が前記移動滑車下方の固定部に固定され、他端側が前記移動滑車及び前記下方固定滑車を介して前記蓋部に固定された引き側ワイヤと、
一端側が前記ゼンマイ巻付け部の外周面に固定され、他端側が前記上方固定滑車を介して前記移動滑車に固定された引かれ側ワイヤとを備えたことを特徴とするグローブボックスの蓋部開閉アシスト機構。
【請求項２】
前記蓋部及び前記グローブボックス容器本体のうち、一方には磁石が、他方には磁性体が設けられ、前記蓋部が閉じられたときは、前記磁性体が前記磁石に吸着されて閉じ状態を維持し、前記蓋部が開けられたときは、前記磁性体が前記磁石から引き離されることを特徴とする請求項１に記載のグローブボックスの蓋部開閉アシスト機構。
【請求項３】
前記ゼンマイ巻付け部の回動動作を緩やかにするためのダンパを設けたことを特徴とする請求項１に記載のグローブボックスの蓋部開閉アシスト機構。
【請求項４】
請求項１〜３のいずれか一項に記載の蓋部開閉アシスト機構を搭載したことを特徴とするグローブボックス。
【発明の詳細な説明】
【技術分野】
【０００１】
本発明は、グローブボックスの蓋部を開閉する際、その開閉操作をアシストするグローブボックスの蓋部開閉アシスト機構に関する。
【背景技術】
【０００２】
一般に、自動車には、インストルメントパネルのうち助手席前方側にグローブボックスが設けられている。このようなグローブボックスは、車室内側が開口された箱形のグローブボックス容器本体と、グローブボックス容器本体の開口端に、該開口端下方のヒンジを介して取り付けられた蓋部とを備えている。
【０００３】
上記グローブボックスにおいては、通常、蓋部はグローブボックス容器本体の開口端にロックされているが、このロックを解除すると、蓋部はその自重で前記ヒンジを中心にして回動することにより、グローブボックス容器本体は開けられた状態となり、また、蓋部をヒンジを中心にして前記とは逆方向に回動させて、蓋部をグローブボックス容器本体の開口端に密着させることにより、グローブボックス容器本体は閉められた状態となる。
【０００４】
ところで、蓋部の回動動作が速すぎると、蓋部を開け閉めする際に音が発生して耳障りである。そこで、従来のグローブボックスにおいては、蓋部にダンパユニットを接続し、蓋部を開け閉めする際の回動動作をダンパユニットの抵抗力によって緩やかにして、音の発生を防ぐようにしている（例えば、特許文献１及び特許文献２参照）。
【特許文献１】特開平７−６１３０７号公報
【特許文献２】特開２００４−１７５１５１号公報
【発明の開示】
【発明が解決しようとする課題】
【０００５】
しかしながら、上記従来の技術では、蓋部を開けるときはよいが、蓋部を閉めるときはダンパユニットの抵抗力に対して、蓋部をグローブボックス容器本体の開口端に強く押し付けなければならず、良好な操作性が得られないという問題がある。
【０００６】
本発明の課題は、蓋部を開けるときは勿論、閉めるときも良好な操作性を得ることのできるグローブボックスの蓋部開閉アシスト機構を提供することにある。
【課題を解決するための手段】
【０００７】
上記課題を解決するために、請求項１に記載の発明は、グローブボックス容器本体の側面に設けられ、該グローブボックス容器本体の開口端下方のヒンジを介して設けられた蓋部の開閉操作をアシストするグローブボックスの蓋部開閉アシスト機構であって、ゼンマイが巻き取られたゼンマイ巻取り部と、前記ゼンマイ巻取り部の下方に回動自在に配置され、該ゼンマイ巻取り部からゼンマイを引き出して外周面に巻き付けるゼンマイ巻付け部と、前記ゼンマイ巻取り部及び前記ゼンマイ巻付け部の中間部横方に配置され、上下方向に移動自在な移動滑車と、前記移動滑車の上方に固定された上方固定滑車と、前記移動滑車の下方に固定された下方固定滑車と、一端側が前記移動滑車下方の固定部に固定され、他端側が前記移動滑車及び前記下方固定滑車を介して前記蓋部に固定された引き側ワイヤと、一端側が前記ゼンマイ巻付け部の外周面に固定され、他端側が前記上方固定滑車を介して前記移動滑車に固定された引かれ側ワイヤとを備えたことを特徴としている。
【０００８】
蓋部が閉められているとき、蓋部はグローブボックス容器本体の開口端にロックされている。蓋部を開ける際、このロックを解除すると、蓋部は、その自重によってグローブボックス容器本体の開口端下方のヒンジを中心に回動し、蓋部が開いた状態となる。このとき、蓋部によって引き側ワイヤが引っ張られ、移動滑車が下方へ移動するとともに、この移動滑車の移動によって引かれ側ワイヤが引っ張られてゼンマイ巻付け部が所定方向に回動する。ゼンマイ巻付け部が所定方向に回動すると、ゼンマイ巻取り部からゼンマイが引き出され、その引き出されたゼンマイがゼンマイ巻付け部の外周面に巻き付けられていく。
【０００９】
また、蓋部を閉める際には乗員が蓋部を手で押して、蓋部をヒンジを中心に前記とは逆方向に回動させ、蓋部をグローブボックス容器本体の開口端に密着させることにより、蓋部が閉じた状態となる。このとき、ゼンマイ巻取り部に巻き付けられたゼンマイはその復元力によって元の状態に戻ろうとし、その結果、ゼンマイはゼンマイ巻取り部に巻き取られる。ゼンマイがゼンマイ巻取り部に巻き取られると、ゼンマイ巻付け部が前記とは逆方向に回動し、引かれ側ワイヤが引っ張られて、移動滑車は上方へ移動する。これにより、引き側ワイヤが引っ張られて、蓋部の閉じ動作をスムーズに行わせることができる。
【００１０】
このように、上記構成においては、蓋部がその自重によって開く際の力を利用してゼンマイ巻付け部が回動駆動され、そのゼンマイ巻付け部の外周面にゼンマイが巻き付けられるので、巻き付けられたゼンマイには蓋部を開ける際に生じたエネルギ（復元力）が蓄えられており、蓋部を閉める際にゼンマイに蓄えられた前記エネルギを使用して、蓋部をスムーズに閉めることが可能となっている。
【００１１】
また、請求項２に記載の発明は、請求項１において、前記蓋部及び前記グローブボックス容器本体のうち、一方には磁石が、他方には磁性体が設けられ、前記蓋部が閉じられたときは、前記磁性体が前記磁石に吸着されて閉じ状態を維持し、前記蓋部が開けられたときは、前記磁性体が前記磁石から引き離されることを特徴としている。
【００１２】
また、請求項３に記載の発明は、請求項１において、前記ゼンマイ巻付け部の回動動作を緩やかにするためのダンパを設けたことを特徴としている。
【００１３】
さらに、請求項４に記載の発明はグローブボックスの発明であり、請求項１〜３のいずれか一項に記載の蓋部開閉アシスト機構を搭載したことを特徴としている。
【発明の効果】
【００１４】
本発明によれば、蓋部を開けるときは勿論、閉めるときも良好な操作性を得ることが可能なグローブボックスの蓋部開閉アシスト機構を実現することができる。
【発明を実施するための最良の形態】
【００１５】
以下、本発明の実施例を図面に従って説明する。
【実施例】
【００１６】
図１及び図２は本発明に係る蓋部開閉アシスト機構の構成を示しており、図１は蓋部開閉アシスト機構が搭載されたグローブボックスの右側面図、図２は蓋部開閉アシスト機構の斜視図である。
【００１７】
グローブボックス１は、図１に示すように、車室側に開口端（開口端は図の右側に設けられている）を有する箱形のグローブボックス容器本体２と、グローブボックス容器本体２の開口端に当該開口端下方のヒンジ３を介して設けられた蓋部４とを備えている。また、蓋部４は、蓋本体４Ａと、蓋本体４Ａの裏面左右に設けられグローブボックス容器本体２の左右両側面の外側に沿って突出したアーム４Ｂとを備えている。
【００１８】
アーム４Ｂの先端は上下に分岐し、上方に向かってアーム先端上部４Ｃが、下方に向かってアーム先端下部４Ｄがそれぞれ形成されている。また、グローブボックス容器本体２の左右両側面の周囲には車両幅方向外側に向かって突出した突条２Ａが設けられており、この突条２Ａのうち、グローブボックス容器本体２の開口端側（図１の右側）には切欠き部２Ｂが形成され、蓋部４のアーム４Ｂは切欠き部２Ｂに挿通されている。
【００１９】
本発明に係る蓋部開閉アシスト機構５は平板状のモジュールベース６上に設けられ、このモジュールベース６はビス７Ａ〜７Ｃによってグローブボックス容器本体２の右側面に取り付けられている。
【００２０】
モジュールベース６には、図１及び図２に示すように、支軸８及び支軸９が固定され、支軸８にはゼンマイ巻取りローラ（ゼンマイ巻取り部）１０が、支軸９にはゼンマイ巻付けローラ（ゼンマイ巻付け部）１１がそれぞれ設けられている。ゼンマイ巻取りローラ１０は支軸８周りに回動自在に、また、ゼンマイ巻付けローラ１１は支軸９周りに回動自在にそれぞれ取り付けられている。ゼンマイ巻取りローラ１０にはゼンマイ１０Ａが設けられており、このゼンマイ１０Ａの先端はゼンマイ巻取りローラ１０から引き出されてゼンマイ巻付けローラ１１の外周面に固定されている。
【００２１】
また、モジュールベース６には、ゼンマイ巻取りローラ１０及びゼンマイ巻付けローラ１１よりも車両前後方向に沿って前方側（図１及び図２において左側）に、車両前方向から見て断面コ字状のサブベース１２が取り付けられている。モジュールベース６とサブベース１２の間には支軸１３，１４が固定され、図３に示すように、支軸１３には上方固定滑車１５が、支軸１４には下方固定滑車１６がそれぞれ回転自在に設けられている。
【００２２】
サブベース１２には、図１及び図２に示すように、その中央部に上下方向に長い長穴１２Ａが形成され、この長穴１２Ａ内に支軸１７が長穴１２Ａに沿って上下方向に移動自在に係合されている。支軸１７には、図３に示すように、移動滑車１８が設けられており、移動滑車１８は長穴１２Ａに沿って上下方向に移動自在である。
【００２３】
また、サブベース１２にはピン１９を介してダンパ２０が取り付けられている。ダンパ２０はロッド２０Ａを有し、このロッド２０Ａの先端部材２０Ｂはピン２１によってゼンマイ巻付けローラ１１に取り付けられている。なお、ダンパ２０はピン１９周りに回動自在であるとともに、ピン２１周りにも回動自在である。
【００２４】
さらに、ゼンマイ巻付けローラ１１の外周面には押し出しプレート２２が取り付けられ、この押し出しプレート２２の先端には直方体形状のスライド部材２３が設けられている（図３も参照）。スライド部材２３は、モジュールベース６に固定されたガイド部材２４内を車両前後方向に摺動自在であるとともに、その一側端面には磁石２５が取り付けられている。
【００２５】
ガイド部材２４には車室内側（図２の右側）に空隙２４Ａが形成され、蓋部４を閉めたとき、蓋部４のアーム４Ｂの先端はガイド部材２４の空隙２４Ａ内に入り込む。また、ガイド部材２４には車室内側に鉄片（磁性体）２６が取り付けられている。一方、蓋部４のアーム４Ｂの先端にも鉄片（磁性体）２７が取り付けられている。
【００２６】
また、モジュールベース６には、図１に示すように、ピン２８によって解除レバー２９が取り付けられ、この解除レバー２９の上端部はロッド３０を介して解除ボタン３１に連結されている。解除レバー２９の下部はくちばし状を成し、その先端は蓋部４のアーム先端上部４Ｃに当接している。なお、３２はコイルスプリングであり、解除ボタン３１を図１において右方向に付勢している。
【００２７】
図３に示すように、ゼンマイ巻付けローラ１１の外周面には引かれ側ワイヤ３３の一端が固定され、この引かれ側ワイヤ３３は上方固定滑車１５に巻回されて、他端が移動滑車１８の支軸１７に固定されている。
【００２８】
また、一端がモジュールベース６又はサブベース１２に固定された引き側ワイヤ３４が設けられ、この引き側ワイヤ３４は移動滑車１８及び下方固定滑車１６に巻回されて、他端が蓋部４のアーム先端下部４Ｄ（図１参照）に固定されている。
【００２９】
次に、本実施例における蓋部開閉アシスト機構の動作について、図３〜図６を用いて説明する。
【００３０】
蓋部４が閉められているとき、蓋部４はグローブボックス容器本体２の開口端に、図示していないロック機構によってロックされている。また、スライド部材２３はゼンマイ巻付けローラ１１に近い側に位置しており、このスライド部材２３端面の磁石２５に蓋部４のアーム４Ｂ先端の鉄片２７が吸着されている。
【００３１】
蓋部４を開ける際に、図４に示すように、乗員が指で解除ボタン３１を矢印Ａ方向に押すと、その力はロッド３０を介して解除レバー２９に伝達され、解除レバー２９はピン２８を中心に矢印Ｂ方向に回動する。解除レバー２９が矢印Ｂ方向に回動すると、解除レバー２９下部のくちばし状の先端部が蓋部４のアーム先端上部４Ｃを押すことにより、磁石２５に吸着された鉄片２７が引き離され、その結果、蓋部４はその自重によりヒンジ３を中心に矢印Ｃ１方向に回動する。
【００３２】
蓋部４が矢印Ｃ１方向に回動すると、図３に示すように、蓋部４によって引き側ワイヤ３４が矢印Ｄ１方向に引っ張られ、移動滑車１８が長穴１２Ａ（図１及び図２参照）に沿って矢印Ｅ１方向（下方）へ移動するとともに、この移動滑車１８の移動によって引かれ側ワイヤ３３が引っ張られてゼンマイ巻付けローラ１１が矢印Ｆ１方向に回動する。
【００３３】
ゼンマイ巻付けローラ１１が矢印Ｆ１方向に回動すると、ゼンマイ巻取りローラ１０からゼンマイ１０Ａが引き出され、その引き出されたゼンマイ１０Ａがゼンマイ巻付けローラ１１の外周面に巻き付けられていく。このとき、ゼンマイ巻取りローラ１０はゼンマイ１０Ａが引き出されるため、矢印Ｇ１方向に回動する。
【００３４】
また、ゼンマイ巻付けローラ１１が矢印Ｆ１方向に回動すると、一端がゼンマイ巻付けローラ１１に固定された押し出しプレート２２が押し出され、この押し出しプレート２２によってスライド部材２３は矢印Ｈ１方向に移動する。そして、図５に示すように、スライド部材２３端面の磁石２５がガイド部材２４に設けられた鉄片２６を吸着する。ゼンマイ巻付けローラ１１の外周面に巻き付けられたゼンマイ１０Ａは復元力により元の状態に、つまりゼンマイ巻取りローラ１０側へ巻き付こうとするが、スライド部材２３端面の磁石２５がガイド部材２４の鉄片２６を吸着しているので、ゼンマイ１０Ａのゼンマイ巻取りローラ１０側への巻き付きが阻止され、蓋部４の開状態が保持される。
【００３５】
また、蓋部４を閉める際には、図６に示すように、乗員が手で蓋本体４Ａを矢印Ｃ２方向へ押して、蓋部４をヒンジ３を中心に同方向に回動させると、アーム４Ｂの先端がガイド部材２４の空隙２４Ａ（図２参照）に入り込み、アーム４Ｂ先端の鉄片２７がスライド部材２３端面の磁石２５に吸着するとともに、アーム４Ｂの先端が、図３に示すように、スライド部材２３を矢印Ｈ２方向へ押して、ガイド部材２４に設けられた鉄片２６と磁石２５との吸着を引き離す（図６も参照）。
【００３６】
スライド部材２３が矢印Ｈ２方向に押されると、ゼンマイ巻付けローラ１１は矢印Ｆ２方向への回動が許容され、図３に示すように、ゼンマイ１０Ａの復元力（ゼンマイ巻取りローラ１０側に戻ろうとする力）によって実際にゼンマイ巻付けローラ１１は矢印Ｆ２方向へ回動する。このとき、ゼンマイ巻取りローラ１０は矢印Ｇ２方向に回動する。
【００３７】
ゼンマイ巻付けローラ１１が矢印Ｆ２方向へ回動すると、引かれ側ワイヤ３３が引っ張られ、移動滑車１８は矢印Ｅ２方向（上方向）に移動する。そして、移動滑車１８の矢印Ｅ２方向への移動によって引き側ワイヤ３４が引っ張られ、引き側ワイヤ３４は蓋部４のアーム先端下部４Ｄとの連結点を矢印Ｄ２方向に移動させ、蓋部４を引っ張って蓋本体４Ａをグローブボックス容器本体２の開口端に密着させる。
【００３８】
このように、本実施例によれば、蓋部４がその自重によって開く際の力を利用してゼンマイ巻付けローラ１１が回動駆動され、そのゼンマイ巻付けローラ１１の周囲にゼンマイ１０Ａが巻き付けられるので、巻き付けられたゼンマイ１０Ａには蓋部４を開ける際に生じたエネルギが蓄えられており、蓋部４を閉める際にゼンマイ１０Ａに蓄えられた前記エネルギを使用して、蓋部４をスムーズに閉めることが可能となる。
【００３９】
本実施例によれば、ゼンマイ巻付けローラ１１にダンパ２０が取り付けられているので、ゼンマイ巻付けローラ１１の矢印Ｆ１及びＦ２方向への回動を緩やかにすることができ、その結果、蓋部４の開閉動作も緩やかで且つ静かなものとすることができる。
【００４０】
また、本実施例によれば、移動滑車１７を用いているので、蓋部４を開閉する際に、引き側ワイヤ３４と蓋部４のアーム先端下部４Ｄとの連結点においては、移動滑車１７を用いない場合に比べて、移動距離は半分となり、力は２倍となる。
【００４１】
また、ゼンマイ１０Ａとして定トルクゼンマイバネを使用すれば、巻き始めから巻き終わりまで一定のトルクが得られる。
【００４２】
また、ゼンマイ巻取りローラ１０の下方にゼンマイ巻付けローラ１１を配置したので、前記両ローラ１０，１１における車両前後方向の専有面積を小さくすることができ、モジュールベース６のコンパクト化を実現できる。
【００４３】
さらに、本実施例の蓋部開閉アシスト機構はモジュール化できるので、各製品毎に設計し直すという手間が省ける。
【００４４】
以上、本発明の実施例を図面により詳述してきたが、上記実施例は本発明の例示にしか過ぎないものであり、本発明は上記実施例の構成にのみ限定されるものではない。本発明の要旨を逸脱しない範囲の設計の変更等があっても、本発明に含まれることは勿論である。
【００４５】
例えば、本発明の蓋部開閉アシスト機構は、垂直状態であったものを、使用するときだけ倒して水平状態とするカップホルダやアームレスト等にも適用可能である。
【図面の簡単な説明】
【００４６】
【図１】本発明に係る蓋部開閉アシスト機構が搭載されたグローブボックスの右側面図である。
【図２】蓋部開閉アシスト機構の斜視図である。
【図３】蓋部開閉アシスト機構の要部構成図である。
【図４】グローブボックスの蓋部を開け始めたとき様子を示す図である。
【図５】グローブボックスの蓋部が全開したときの様子を示す図である。
【図６】グローブボックスの蓋部を閉めている途中の様子を示す図である。
【符号の説明】
【００４７】
１  グローブボックス
２  グローブボックス容器本体
３  ヒンジ
４  蓋部
１０  ゼンマイ巻取りローラ（ゼンマイ巻取り部）
１０Ａ  ゼンマイ
１１  ゼンマイ巻付けローラ（ゼンマイ巻付け部）
１５  上方固定滑車
１６  下方固定滑車
１８  移動滑車
２０  ダンパ
２２  押し出しプレート
２３  スライド部材
２５  磁石
２６，２７  鉄片（磁性体）
２９  解除レバー
３１  解除ボタン
３３  引かれ側ワイヤ
３４  引き側ワイヤ
【図１】
2008184005.tif 000003
【図２】
2008184005.tif 000004
【図３】
2008184005.tif 000005
【図４】
2008184005.tif 000006
【図５】
2008184005.tif 000007
【図６】
2008184005.tif 000008